(57)【要約】【課題】趣向にあった電子画像データを自動的かつ定期的にサービス利用者に送信し、容易に当該電子画像の元となっている商品を購入可能とする。【解決手段】画像関連商品の販売を行う個人または業者からの電子化した画像に趣向の種別毎にＩＤを付与し、趣向情報ＩＤと販売者名と価格と共に画像データを管理する手段と、サービス利用者から興味のある画像関連商品の画像の趣向情報の登録を受け、サービス利用者毎に趣向情報を管理する手段と、一定間隔でサービス利用者が指定した趣向に対応した電子画像をサービス利用者の画像表示端末に送信する手段と、サービス利用者が画像表示端末に表示されている画像の元となっている実物の画像関連商品の購入を行う場合に、サービス利用者のＷｅｂクライアント端末から購入依頼を受付けるのみで自動的に当該販売者に購入品を発注し、サービス利用者に課金する手段と、を有する電子画像配信システムである。【選択図】        図２
2005031879.tif 000002
【特許請求の範囲】
【請求項１】
通信網を介し、電子画像を送受信する手段と、
画像関連商品の販売を行う個人または業者からの電子化した画像に、当該画像データがどのような趣向に該当するのか対応可能なよう趣向の種別毎にＩＤを付与し、当該趣向情報ＩＤと当該販売者名と価格と共に画像データを管理する手段と、
本電子画像配信サービスを利用する事に合意し個人情報を当該サービス提供事業者に提供しているサービス利用者からＷｅｂクライアント端末を用い興味のある画像関連商品の画像の趣向情報の登録を受け、サービス利用者毎に１以上の趣向情報を管理する手段と、
一定間隔でサービス利用者が指定した趣向に対応した電子画像をサービス利用者の画像表示端末に送信する手段と、
サービス利用者が画像表示端末に表示されている画像の元となっている実物の画像関連商品の購入を行う場合に、サービス利用者のＷｅｂクライアント端末から購入依頼を受付けるのみで自動的に当該販売者に購入品を発注し、サービス利用者に課金する手段と、を有することを特徴とする電子画像配信システム。
【請求項２】
請求項１に記載の電子画像配信システムにおいて、
前記画像関連商品が絵画または写真であることを特徴とする電子画像配信システム。
【請求項３】
画像関連商品の販売を行う個人または業者からの電子化した画像に、当該画像データがどのような趣向に該当するのか対応可能なよう趣向の種別毎にＩＤを付与し、当該趣向情報ＩＤと当該販売者名と価格と共に画像データを管理するステップと、
本電子画像配信サービスを利用する事に合意し個人情報を当該サービス提供事業者に提供しているサービス利用者からＷｅｂクライアント端末を用い興味のある画像関連商品の画像の趣向情報の登録を受け、サービス利用者毎に１以上の趣向情報を管理するステップと、
一定間隔でサービス利用者が指定した趣向に対応した電子画像をサービス利用者の画像表示端末に送信するステップと、
サービス利用者が画像表示端末に表示されている画像の元となっている実物の画像関連商品の購入を行う場合に、サービス利用者のＷｅｂクライアント端末から購入依頼を受付けるのみで自動的に当該販売者に購入品を発注し、サービス利用者に課金するステップと、を有することを特徴とする電子画像配信方法。
【請求項４】
請求項３に記載の電子画像配信方法において、
前記画像関連商品が絵画または写真であることを特徴とする電子画像配信方法。
【発明の詳細な説明】
【０００１】
【発明の属する技術分野】
本発明は、絵画および写真等の閲覧／購入に興味を持っている利用者に、ＩＰ（Ｉｎｔｅｒｎｅｔ  Ｐｒｏｔｏｃｏｌ）網等の通信網を介し電子化された画像情報を定期的に配信し、電子画像の元となっている商品の購入を容易に行うことを可能とする電子画像配信システムおよび配信方法に関する。
【０００２】
【従来の技術】
絵画等の商品を通信網を介して購入する場合、購入者がＷｅｂ等でオンラインショッピングサイトに自立的にアクセスし、様々な絵画の中から時間をかけ選択し購入を行わなければならず手間がかかり、さらに購入したい商品がない場合、定期的に当該サイトにアクセスし新商品の確認を行わなければならず、不便であった。例えば、特許文献１には、中継サーバが、ユーザ通信端末器からのアクセスを検知した後、予め準備した情報のジャンル別の集まり状況を、双方向同時通信によって送信する情報の自動配信方法およびそのシステムが記載されている。
【０００３】
【特許文献１】
特開２００１−３０６９３１号公報
【０００４】
【発明が解決しようとする課題】
しかしながら、上述した従来のシステムでは、次のような問題がある。
【０００５】
従来では購入者が自立的かつ定期的にオンラインショッピングサイトにアクセスしなければ新たな絵画等の新商品の情報を得ることが出来ず、また購入者の趣向に合った絵画等を探すのに労力を要していたという課題があった。
【０００６】
本発明の目的は、上述したような従来の問題点を解消するため、趣向にあった電子画像データを自動的かつ定期的にサービス利用者に送信し、容易に当該電子画像の元となっている商品を購入可能とする電子画像配信システムおよび配信方法を提供することにある。
【０００７】
【課題を解決するための手段】
上記目的を達成するための手段として、電子画像配信システムは、絵画等の商品販売者から電子化された画像データを通信網を介して受信する、もしくはＣＤ−ＲＯＭ等の媒体で配送されてきた画像データを読み込み、画像データ毎に当該画像がどのような趣向に該当するのかを識別するために趣向毎に割り当てた趣向情報ＩＤと販売者名と価格と共に当該画像データを管理する手段と、サービス利用者がＷｅｂクライアント端末からのアクセスを可能とするためＷｅｂサーバ機能を有し、サービス利用者のＩＤとパスワードとを管理しておき、当該Ｗｅｂサーバ経由で正規なサービス利用者かの認証を行う手段と、当該Ｗｅｂサーバ機能と連携しサービス利用者がＷｅｂクライアント端末から指定した趣向情報を受付け、利用者対応に管理する手段と、サービス利用者毎に一定間隔で趣向に応じた電子画像を特定しサービス利用者の画像表示端末に配信する手段と、サービス利用者が画像表示端末に表示されている画像の元となっている商品を購入する際に、当該Ｗｅｂクライアントからの購入要求を受信するのみで販売者に購入依頼を行い、決済を行う手段とを備えたことを特徴とする電子画像配信システムおよび配信方法である。
【０００８】
【発明の実施の形態】
次に、本発明の実施の形態について図面を参照して詳細に説明する。
【０００９】
図１は、本発明の一実施例を示す電子画像配信システムの接続図である。
【００１０】
本発明の電子画像配信システムは、図１に示すように、サービスを提供する電子画像配信サービス提供事業者２が所有する電子画像配信システム１と、本サービス利用者３が所有する画像表示端末４とＷｅｂクライアント端末５と、電子画像配信サービス提供事業者２と契約し画像関連物を販売する画像関連物販売者６が所有する電子画像を送信するための送信端末７と販売する画像関連物を電子画像化するためのスキャナーもしくはデジタルカメラ８と、当該装置類が接続され互いに通信を行うことを可能とするＩＰ網等の通信網９から構成される。
【００１１】
図２は、電子画像配信システム１の詳細構成を示すもので、サービス利用者３に関する情報および電子画像データ等を管理するデータベース１０と、定期的にサービス利用者毎の趣向に応じた画像の配信を実施する電子画像配信制御部１１と、電子画像配信制御部１１からの指示に基づき指定されたサービス利用者の画像表示端末４に電子画像の送信を行う画像送信機能部１２と、サービス利用者３が指定するサービス趣向情報をサービス利用者毎に管理するサービス利用者趣向情報管理部１３と、サービス利用者３のＷｅｂクライアント端末５からのアクセスを受け付け要求された処理を実行する適切な機能部への振り分けを行うＷｅｂサーバ機能部１４と、サービス利用者３からの商品注文要求を受理し適切な商品を特定し画像関連物販売者６に注文指示を実施する画像関連物注文制御部１５と、画像関連物注文制御部１５からの指示に基づきサービス利用者３への課金決済を実施する課金決済機能部１６と通信網９を介し画像関連物販売者６からの電子画像を受信する電子画像受付部１７と、画像関連物販売者６からＣＤ−ＲＯＭ等の物理媒体に入れ配送されてきた電子画像データを読み取る入力装置１８から構成される。
【００１２】
図３は、電子画像配信システム１において、個々の電子画像を識別するために電子画像毎に唯一になるよう割り当てられた電子画像ＩＤ１９をキー情報として、画像関連物販売者６から送られてきた電子画像を格納する電子画像データ２０と、画像関連物販売者６の名称を格納する販売者名２１と、電子画像の元となっている商品の値段を格納する価格２２からなる情報管理構成イメージである。
【００１３】
図４は、個々のサービス利用者を識別するためにサービス利用者毎に唯一になるよう割り当てられたサービス利用者ＩＤ２３をキー情報として、サービス利用者の認証時に用いるパスワード２４と、「海の風景画」「秋の紅葉風景写真」等のサービス利用者３が画像表示端末４へ表示したいと考えている電子画像の種別毎に唯一となるよう割り当てられた趣向情報ＩＤを複数格納する対象趣向情報ＩＤ２５と、サービス利用者３が保有し電子画像を表示する画像表示端末４と通信する際に用いる画像表示端末アドレス２６と、サービス利用者３の画像表示端末４に現在表示している電子画像に割り当てられている電子画像ＩＤ２７からなる情報管理構成イメージである。
【００１４】
図５は、趣向情報ＩＤ２８をキー情報として、複数の電子画像ＩＤを格納する関連電子画像ＩＤ２９からなる情報管理構成イメージである。
【００１５】
図６、図７は、画像関連物販売者６が販売したい商品を電子画像化し、電子画像配信システムに登録するまでの動作を示したものである。
【００１６】
まず、図６に示すように、画像関連物販売者６がスキャナー／デジタルカメラ８を操作することで販売したい画像関連商品を電子画像化し（ステップ３０）、当該電子画像を送信端末７に転送し（ステップ３１）、送信端末７を操作し当該電子画像を販売者名と価格と当該画像がどの趣向情報に該当するかを示す趣向情報ＩＤと共に電子画像配信システム１に送信を行い（ステップ３２）、送信端末７から電子画像を受信した電子画像配信システム１内の電子画像受付部１７は新規の電子画像ＩＤを払い出し図３の情報に登録を実施するため（ステップ３３）、図３の情報を管理しているデータベース１０に更新要求を行い（ステップ３４）、データベース１０は指定された電子画像ＩＤをキーとして図３に示す情報に電子画像と販売者名と価格を追加し（ステップ３５）、データベースヘの更新要求に対する応答を受信した後に（ステップ３６）、電子画像受付部１７は、図５の情報に当該電子画像ＩＤと趣向情報ＩＤとの対応付けを実施するため（ステップ３７）、図５の情報を管理しているデータベース１０に更新要求を発行し（ステップ３８）、図７に示すように、データベース１０は、画像関連物販売者６から送られてきた趣向情報ＩＤをキーとして図５に示す情報の関連電子画像ＩＤ２９に電子画像ＩＤの追加を行い（ステップ３９）、電子画像受付部１７にデータベースヘの更新要求に対する応答を返し（ステップ４０）、電子画像受付部１７は送信端末７に応答を返す（ステップ４１）。以上にて電子画像の登録動作は完了する。なお、図６、図７の例は通信網を介した実施例であるが、電子画像がＣＤ−ＲＯＭ等に格納し配送された場合は、電子画像配信システム１内の入力装置１８にて読み出し、図６の送信端末７を入力装置１８に置き換えた動作で実施することとなる。
【００１７】
次に、図８、図９はサービス利用者３が電子画像配信システム１に、表示する電子画像を当該サービス利用者３の趣向に応じたものとするため趣向情報の登録を行う動作を示したものである。
【００１８】
まず、図８に示すように、サービス利用者３は保有するＷｅｂクライアント端末５から電子画像配信システム１にアクセスし、サービス利用者ＩＤとパスワードを送信することでログインし（ステップ４２）、Ｗｅｂサーバ機能部１４は認証要求をサービス利用者ＩＤとパスワードをパラメータとしてサービス利用者趣向情報管理部１３に送り（ステップ４３）、サービス利用者趣向情報管理部１３は図４の情報から当該サービス利用者のパスワードを取得するためサービス利用者３から指定されたサービス利用者ＩＤをパラメータとしてデータベース１０にデータベース参照要求を発行し（ステップ４４）、指定されたサービス利用者ＩＤをキーとして図４の情報を検索し当該サービス利用者のパスワードを取得し（ステップ４５）、サービス利用者趣向情報管理部１３に応答を返し（ステップ４６）、サービス利用者趣向情報管理部１３は検索したパスワードとサービス利用者３から送信されたパスワードとを照合し正規ユーザであるかを認証し（ステップ４７）、Ｗｅｂサーバ機能部１４に認証結果の応答を返し（ステップ４８）、Ｗｅｂサーバ機能部１４は趣向情報を選択するための画面情報が示された情報と共に、Ｗｅｂクライアント端末５にログイン応答を返す（ステップ４９）。サービス利用者３は、Ｗｅｂクライアント端末５に表示されている趣向情報の中から表示したい電子画像の趣向情報に付随しているチェックボックスを全てクリックし送信ボタンを押すことで趣向情報ＩＤを電子画像配信システム１のＷｅｂサーバ機能部１４に送信し（ステップ５１）、Ｗｅｂサーバ機能部１４はサービス利用者趣向情報管理部１３にサービス利用者３が指定した全ての趣向情報ＩＤと共にサービス利用者趣向情報管理部１３に趣向情報登録要求を送信し（ステップ５２）、サービス利用者趣向情報管理部１３は図４の情報に指定された全ての趣向情報ＩＤを登録するためサービス利用者ＩＤをパラメータとしてデータベース１０にデータベース更新要求を発行し（ステップ５３）、図９に示すように、データベース１０は、指定されたサービス利用者ＩＤをキーとして図４の対象趣向情報ＩＤ２５に全ての趣向情報ＩＤを登録し（ステップ５４）、サービス利用者趣向情報管理部１３に応答を返し（ステップ５５）、サービス利用者趣向情報管理部１３はＷｅｂサーバ機能部１４に応答を返し（ステップ５６）、Ｗｅｂサーバ機能部１４はＷｅｂクライアント端末５に応答を返す（ステップ５７）。以上にてサービス利用者３からの趣向情報の登録動作は完了する。
【００１９】
次に、図１０〜図１２は電子画像配信システム１からサービス利用者３の画像表示端末４に電子画像を表示するまでの動作を示したものである。
【００２０】
図１０に示すように、電子画像配信システム１の電子画像配信制御部１１は、サービス利用者毎に一定間隔で電子画像の配信を行うため、サービス利用者毎に一定間隔で待ち合わせを実施し、待ち合せ間隔が満了した時点で当該サービス利用者に所望の電子画像の配信を開始し（ステップ５８）、データベース１０に図４の情報にアクセスするため利用者ＩＤを指定しデータベース参照要求を発行し（ステップ５９）、データベース１０は利用者ＩＤをキー情報として図４の情報から複数の趣向情報ＩＤと画像表示端末アドレスを取得し（ステップ６０）、電子画像配信制御部１１に応答を返し（ステップ６１）、電子画像配信制御部１１は取得した複数の趣向情報ＩＤの中からランダムに１つの趣向情報ＩＤを選択し、当該趣向情報ＩＤに含まれる画像情報ＩＤの取得を行うため（ステップ６２）。趣向情報ＩＤを指定しデータベース１０にデータベース参照要求を発行し（ステップ６３）、データベース１０は指定された趣向情報ＩＤをキーとして図５の情報を検索し複数の電子画像ＩＤを取得し（ステップ６４）、電子画像配信制御部１１に応答を返し（ステップ６５）、図１１に示すように、電子画像配信制御部１１は取得した複数の電子画像ＩＤからランダムに１つの電子画像ＩＤを選択し当該電子画像ＩＤに対応する電子画像データの検索を行うため（ステップ６６）、データベース１０に電子画像ＩＤを指定しデータベース参照要求を発行し（ステップ６７）、データベース１０は電子画像ＩＤをキーとして図３の情報を検索し電子画像データと価格を取得し（ステップ６８）、電子画像配信制御部１１に応答を返し（ステップ６９）、電子画像配信制御部１１は取得した電子画像データをサービス利用者３の画像表示端末４に表示させるため（ステップ７０）、画像表示機能部１２に画像表示端末４のアドレスと電子画像データと価格をパラメータとして電子画像データ送信要求を発行し（ステップ７１）、画像送信機能部１２は指定された画像表示端末４のアドレスに対して電子画像データと価格の送信を行い（ステップ７２）、サービス利用者３の画像表示端末４は送信された電子画像データと価格を表示し（ステップ７３）、画像送信機能部１２に応答を返し（ステップ７４）、画像送信機能部１２は電子画像配信制御部１１に応答を返し（ステップ７５）、図１２に示すように、電子画像配信制御部１１は表示している電子画像ＩＤの登録を行うため（ステップ７６）、データベース１０にサービス利用者ＩＤを指定しデータベース更新要求を発行し（ステップ７７）、データベース１０は指定されたサービス利用者ＩＤをキーとして図４の情報を検索し表示中電子画像ＩＤのカラムに指定された電子画像ＩＤを登録し（ステップ７８）、電子画像配信制御部１１に応答を返し（ステップ７９）、電子画像配信制御部１１は一定期間待機する（ステップ８０）。再度一定期間の待ち合わせが経過するとステップ５８からの動作を実施することにより、一定間隔でサービス利用者の画像表示端末にサービス利用者の趣向に応じた画像が表示される。
【００２１】
次に、図１３〜図１５はサービス利用者３が表示されている画像の購入を行う際の動作を示したものである。
【００２２】
図１３に示すように、サービス利用者３は保有しているＷｅｂクライアント端末５を用いて購入を開始し（ステップ８１）、電子画像配信システム１にＷｅｂクライアント端末５からサービス利用者ＩＤとパスワードを入力しログイン要求を送信し（ステップ８２）、ログイン要求を受信したＷｅｂサーバ機能部１４は画像関連物注文制御部１５にサービス利用者ＩＤをパラメータとして認証要求を発行し（ステップ８３）、画像関連物注文制御部１５はデータベース１０にサービス利用者ＩＤとパスワードを指定しデータベース参照要求を発行し（ステップ８４）、データベース１０は図４の情報にサービス利用者ＩＤをキーとして検索しパスワードを取得し（ステップ８５）、画像関連物注文制御部１５に応答を返却し（ステップ８６）、画像関連物注文制御部１５は取得したパスワードとサービス利用者３から送信されたパスワードとを照合し正規ユーザかの認証を行い（ステップ８７）、Ｗｅｂサーバ機能部１４に応答を返し（ステップ８８）、Ｗｅｂサーバ機能部１４はＷｅｂクライアント端末５に購入用の画面情報が含まれた応答を返し（ステップ８９）、サービス利用者３はＷｅｂクライアント端末５に表示されている購入ボタンをクリックすることにより購入要求の送信を指示し（ステップ９０）、Ｗｅｂクライアント端末５はＷｅｂサーバ機能部１４に購入要求を送信し（ステップ９１）、Ｗｅｂサーバ機能部１４は画像関連物注文制御部１５に購入要求を発行し（ステップ９２）、図１４に示すように、画像関連物注文制御部１５はサービス利用者ＩＤから現在表示している電子画像ＩＤの取得を行うため（ステップ９３）、データベース１０にサービス利用者ＩＤを指定しデータベース参照要求を発行し（ステップ９４）、データベース１０は図４の情報にサービス利用者ＩＤをキーとして検索し表示中電子画像ＩＤを取得し（ステップ９５）、画像関連物注文制御部１５に応答を返却し（ステップ９６）、取得した電子画像ＩＤから販売者名と価格を取得するため（ステップ９７）、データベース１０に電子画像ＩＤを指定しデータベース参照要求を発行し（ステップ９８）、データベース１０は図３の情報を電子画像ＩＤをキーとして検索し販売者名と価格を取得し（ステップ９９）、画像関連物注文制御部１５に応答を返却し（ステップ１００）、画像関連物注文制御部１５は課金決済機能部１６に販売者名と価格とサービス利用者ＩＤを指定し購入要求を発行し（ステップ１０１）、図１５に示すように、課金決済機能部１６は販売者に商品発送指示を行うと共にサービス利用者に課金を実施し（ステップ１０２）、画像関連物注文制御部１５に応答を返却し（ステップ１０３）、Ｗｅｂサーバ機能部１４に応答を返却し（ステップ１０４）、Ｗｅｂクライアント端末５に応答を返す（ステップ１０５）。なお、ステップ１０２の商品発送指示は電子メールでの発注・オペレータからの電話での発注・何らかの電子手段による発注等があるが、本発明の対象外であるため特に限定しない。同じくステップ１０２のサービス利用者への課金もクレジットカードによるクレジットカード会社への課金・サービス利用者からの振込み等があるが、本発明の対象外であるため特に限定しない。
【００２３】
以上、本発明者によってなされた発明を、前記実施例に基づき具体的に説明したが、本発明は、前記実施例に限定されるものではなく、その要旨を逸脱しない範囲において種々変更可能であることは勿論である。
【００２４】
【発明の効果】
本発明においては、サービス利用者の趣向に応じた電子画像データを自動的に送信し、購入したい当該電子画像の元となった商品を容易な手順で購入可能となることである。
【００２５】
その理由は、電子画像配信システムにて個々のサービス利用者の趣向情報を管理することでサービス利用者の趣向に応じた電子画像データの表示を行い、表示している電子画像を管理することによりＷｅｂクライアント端末からログインし１クリックで購入が可能となるためである。
【図面の簡単な説明】
【図１】本発明の一実施例の全体構成例である。
【図２】電子画像配信システムの構成例である。
【図３】電子画像配信システムにて電子画像ＩＤと電子画像データと当該電子画像の元となる商品の販売者名と当該電子画像の元となる商品の価格とを管理する情報構成例である。
【図４】電子画像配信システムにてサービス利用者ＩＤと当該サービス利用者のパスワードと当該サービス利用者が望む画像の趣向情報ＩＤと当該サービス利用者が保有する画像表示端末のアドレスと当該画像表示端末に表示中の電子画像ＩＤとを管理する情報構成例である。
【図５】電子画像配信システムにて趣向情報ＩＤと当該趣向情報ＩＤに関連する電子画像ＩＤとを管理する情報構成例である。
【図６】電子画像配信システムに画像関連物販売者から電子画像の登録を行う実施例を示す図（その１）である。
【図７】電子画像配信システムに画像関連物販売者から電子画像の登録を行う実施例を示す図（その２）である。
【図８】電子画像配信システムにサービス利用者が配信して欲しい電子画像の趣向情報の登録を行う実施例を示す図（その１）である。
【図９】電子画像配信システムにサービス利用者が配信して欲しい電子画像の趣向情報の登録を行う実施例を示す図（その２）である。
【図１０】電子画像配信システムからサービス利用者の電子画像表示端末に電子画像の表示指示を行う実施例を示す図（その１）である。
【図１１】電子画像配信システムからサービス利用者の電子画像表示端末に電子画像の表示指示を行う実施例を示す図（その２）である。
【図１２】電子画像配信システムからサービス利用者の電子画像表示端末に電子画像の表示指示を行う実施例を示す図（その３）である。
【図１３】サービス利用者が表示されている電子画像の元となっている商品の購入を行う実施例を示す図（その１）である。
【図１４】サービス利用者が表示されている電子画像の元となっている商品の購入を行う実施例を示す図（その２）である。
【図１５】サービス利用者が表示されている電子画像の元となっている商品の購入を行う実施例を示す図（その３）である。
【符号の説明】
１…電子画像配信システム、２…電子画像配信サービス提供事業者、３…サービス利用者、４…画像表示端末、５…Ｗｅｂクライアント端末、６…画像関連物販売者、７…送信端末、８…スキャナー／デジタルカメラ、９…通信網、１０…データベース、１１…電子画像配信制御部、１２…画像送信機能部、１３…サービス利用者趣向情報管理部、１４…Ｗｅｂサーバ機能部、１５…画像関連物注文制御部、１６…課金決済機能部、１７…電子画像受付部、１８…入力装置、１９…電子画像ＩＤ、２０…電子画像データ、２１…販売者名、２２…価格、２３…サービス利用者ＩＤ、２４…パスワード、２５…対象趣向情報ＩＤ、２６…画像表示端末アドレス、２７…表示中電子画像ＩＤ、２８…趣向情報ＩＤ、２９…関連電子画像ＩＤ
【図１】
2005031879.tif 000003
【図２】
2005031879.tif 000004
【図３】
2005031879.tif 000005
【図４】
2005031879.tif 000006
【図５】
2005031879.tif 000007
【図６】
2005031879.tif 000008
【図７】
2005031879.tif 000009
【図８】
2005031879.tif 000010
【図９】
2005031879.tif 000011
【図１０】
2005031879.tif 000012
【図１１】
2005031879.tif 000013
【図１２】
2005031879.tif 000014
【図１３】
2005031879.tif 000015
【図１４】
2005031879.tif 000016
【図１５】
2005031879.tif 000017